(57)【特許請求の範囲】
【請求項１】
杖に取付けられる固定具であって、
前記杖の本体の中途部分に固定される基部と、
前記杖の上端部を被覆するカバー部と
前記カバー部と、前記基部とを着脱可能に連結する連結部と
を備え、
前記カバー部の端部には、当該カバー部を貫通する貫通孔が設けられ、
前記基部は、側方に向けて突出し、前記杖と垂直な下面を有する杖保持部を有し、
前記杖保持部には、当該基部を貫通する貫通孔が設けられるとともに、前記杖の中心から所定距離だけ離隔した位置において、下方に向けて突出したフック状の下部突出部を有し、
前記連結部は緊結部材であり、前記カバー部の貫通孔及び前記基部の貫通孔とに対して当該緊結部材を通すことで、前記カバー部と前記基部とが連結される
ことを特徴とする杖固定具。
【請求項２】
前記カバー部の表面には、突起物を有する滑止部が形成されるとともに、
前記滑止部の両端には、前記カバー部で前記上端部を被覆した状態を保持するように、該滑止部を該上端部に緊結する緊結材が嵌め込まれる溝部が設けられていることを特徴とする請求項１に記載の杖固定具。
【請求項３】
前記基部は、弾性力を有する材質で形成され、
前記基部の中央には、前記杖の水平断面形状と合致し、前記杖の側方から嵌合される拡開部が形成され、
前記基部は、前記弾性力により、前記拡開部の内径で前記杖の外周面を締め付けて、前記杖に固定される
ことを特徴とする請求項１又は２に記載の杖固定具。
【請求項４】
前記連結部には、前記基部の上端部に一体形成されたベルト部材と、カバー部に一体形成されたベルト部材とからなり、これら一対のベルト部材が留め具により係止されることで、カバー部と基部とを連結させる連結部材をさらに備える
ことを特徴とする請求項１乃至３のいずれかに記載の杖の固定具。
【請求項５】
前記杖保持部には、前記杖の中心から所定距離だけ離隔した位置において、上方に向けて突出した一対の上部突出部を有し、
前記上部突出部と前記杖の中心との間には、複数の凸部が形成されている
ことを特徴とする請求項１乃至４のいずれかに記載の杖固定具。
【発明の詳細な説明】
【技術分野】
【０００１】
本考案は、杖の持ち手部分のカバー部材を固定し、ユーザーが杖を掴み易くする杖の固定具に関する。
【背景技術】
【０００２】
従来より、歩行補助具として杖が使用されている。この杖は、棒状の本体である先端部と杖の持ち手部分である上端部が形成されており、上端部を握って、先端部を地面に接地させることにより、歩行を補助することができるというものである。
【０００３】
ここで、従来より、杖の持ち手部分である上端部を握り易くすべく、上端部に滑り止め用のゴムキャップ等を着脱可能に装着するものがある（例えば、特許文献１）。
【先行技術文献】
【特許文献】
【０００４】
【特許文献１】特開２００５−２３７８９３号公報
【発明の概要】
【発明が解決しようとする課題】
【０００５】
しかしながら、特許文献１に開示されたゴムキャップ等では、上端部を覆い、マジックテープ（登録商標）等で固定するのみであるために、使用しつづけているとゴムキャップ等がグリップ部分からズレてしまい、上端部が握り難くなってしまうという問題があった。
【０００６】
そこで、本発明は以上の点に鑑みてなされたもので、杖の持ち手部分のカバー部材を固定し、ユーザーが杖を掴み易くすることができる杖の固定具を提供することをその課題とする。
【課題を解決するための手段】
【０００７】
上記課題を解決するために、本発明は、杖に取付けられる固定具であって、杖の中途部分に固定される基部と、杖の持ち手部分である上端部を被覆するカバー部と、カバー部と、基部とを着脱可能に連結する連結部とを備え、カバー部の端部には、当該カバー部を貫通する貫通孔が設けられ、基部は、側方に向けて突出し、杖と垂直な下面を有する杖保持部を有し、杖保持部には、当該基部を貫通する貫通孔が設けられるとともに、杖の中心から所定距離だけ離隔した位置において、下方に向けて突出したフック状の下部突出部を有し、連結部は緊結部材であり、カバー部の貫通孔及び基部の貫通孔とに対して当該緊結部材を通すことで、カバー部と基部とが連結されることを特徴とする。
【０００８】
このような発明によれば、杖の杖の持ち手部分である上端部を被覆するカバー部と、杖の中途部分に固定される基部とを連結部によって連結するので、カバー部の位置が固定され、使用時においてもカバー部がズレることなく、常時、ユーザーが杖を掴み易くすることができる。また、杖保持部を机等に設置することで、杖の起立状態を維持することができ、不使用時に杖が床に倒れてしまうことを防止することができる。また、例えば、吊革やポール等に対して、フック状の下部突出部を引っ掛けることで、杖の起立状態を維持することができ、不使用時に杖が床に倒れてしまうことを防止することができる。
【０００９】
上記発明において、カバー部の表面には、突起物を有する滑止部が形成されるとともに、滑止部の両端には、カバー部で上端部を被覆した状態を保持するように、滑止部を上端部に緊結する緊結材が嵌め込まれる溝部が設けられていることが好ましい。この場合には、ユーザーが杖の持ち手部分を掴んだ際、その突起物によりグリップ力を高めることができ、ユーザーが杖を掴み易くすることができる。さらに、カバー部に設けられた溝部に緊結材を嵌め込ませ、上端部を緊結するので、緊結材がカバー部よりズレることが防止でき、よりカバー部を上端部に固定することができる。
【００１０】
上記発明において、基部は、弾性力を有する材質で形成され、基部の中央には、杖の水平断面形状と合致し、杖の側方から嵌合される拡開部が形成され、基部は、弾性力により、拡開部の内径で杖の外周面を締め付けて、杖に固定されることが好ましい。
【００１１】
上記発明において、連結部には、基部の上端部に一体形成されたベルト部材と、カバー部に一体形成されたベルト部材とからなり、これら一対のベルト部材が留め具により係止されることで、カバー部と基部とを連結させる連結部材をさらに備えることが好ましい。
【００１２】
上記発明において、基部には、杖の中心から所定距離だけ離隔した位置において、上方に向けて突出した一対の上部突出部を有することが好ましい。この場合には、この一対の上部突出部に、買物袋等を引っ掛けることができる。さらに、本発明においては、カバー部と基部とは連結しているので、買物袋等の荷重によっても基部がズレ落ちることを防止することができる。
【発明の効果】
【００１３】
本発明によれば、杖の持ち手部分のカバー部材を固定し、ユーザーが杖を掴み易くすることができる。
【図面の簡単な説明】
【００１４】
【図１】実施形態に係る杖固定具の構成を示す斜視図である。
【図２】実施形態に係る杖固定具の構成を示す斜視図である。
【図３】実施形態に係る杖固定具の使用態様を示す側面図である。
【図４】実施形態に係るカバー部の構成を示す上面図である。
【発明を実施するための形態】
【００１５】
（杖固定具の構成）
本発明の実施形態について、図面を参照しつつ説明する。図１及び図２は、本実施形態に係る杖固定具の構成を示す斜視図であり、図３は、本実施形態に係る杖固定具の使用態様を示す側面図である。図１及び図２に示すように、杖２の固定具１は、杖に着脱可能に取り付けられる補助具であって、杖２の中途部分に固定される基部１０と、杖２の持ち手部分である上端部２ａを被覆するカバー部４と、カバー部４と基部１０とを着脱可能に連結する連結部６とから構成されている。
【００１６】
基部１０は、杖２の中途部分に嵌合される部品であり、杖２に平行な平面内において、杖２に垂直な方向に幅を有する板部材を有し、例えば、ラバー等の合成樹脂や、ステンレス等の金属で成型される。この基部１０の中央には、杖２の水平断面形状とほぼ合致し、杖２の側方から嵌合される拡開部１１が形成されている。この拡開部１１は、基部１０の弾性力によりその内径が拡開されるとともに、この弾性力により杖２の外周面を締め付け、基部１０を杖２に固定するようになっている。
【００１７】
ここで、本実施形態において、拡開部１１の内壁面には、溝やスリット、トレッドパターンなどの凹凸を形成し、グリップ力を高めるようにしてもよい。これにより、杖２の外周と、拡開部１１の内壁面との摩擦力が強くなり、固定具１が杖２から滑り落ちるのを防止できる。
【００１８】
また、基部１０は、杖２の起立状態を保持する杖保持部３を備えている。本実施形態において、杖保持部３は、杖２の側方に向けて突出した板上部材であり、一方の杖保持部３の下面３４は、杖２と垂直な方向に水平な平面形状から構成されている。この平面形状により、例えば、図３に示すように、その下面部分を机９の上面に接触させることで、杖２を起立させることができる。また、この下面３４の表面には、溝やスリット、トレッドパターンなどの凹凸が設けられており、机上面に掛け置いた際、この表面グリップ力により安定して杖２の起立状態を維持することができる。
【００１９】
また、他方の杖保持部３の下面には、杖２の中心から所定距離だけ離隔した位置において、下方に向けて突出したフック状の下部突出部３２を有している。この下部突出部３２は、図３に示すように、例えば、吊革や手摺８に引っ掛けることで、杖２を起立させることができる。
【００２０】
さらに、基部１０には、杖２の中心から所定距離だけ離隔した位置において、上方に向けて突出した一対の上部突出部３１，３１を有している。特に、本実施形態において、一対の上部突出部３１，３１は、基部１０を挟んだ両側に上部突出部３１，３１が配置されており、荷物の手提げ部分を基部１０に首掛けた際、その手提げ部分が基部１０からズレ落ちるないようになっている。また、本実施形態では、これら一対の上部突出部３１，３１と杖２との中間位置に、複数の凸部３３が形成されており、この凸部３３によって、荷物の手提げ部分が滑り落ちるのを防止するようになっている。
【００２１】
さらに、基部１０の上方には、基部１０を貫通する貫通孔１３を備えている。本実施形態において、この貫通孔１３は、連結部材である紐６１を連通させるための孔であり、連結部材のサイズに合せた種々の大きさで形成される。
【００２２】
また、本実施形態において、基部１０には、図２に示すように、ベルトフック１４が着脱可能に取付けられている。このベルトフック１４の挟持部１５にユーザーのベルト部分を引っ掛けることで、机９や手摺８がない場合であっても、固定具１の直立状態を維持することができる。
【００２３】
次いで、カバー部４について説明する。図４は、本実施形態に係るカバー部４の全体構造を示す上面図である。
【００２４】
カバー部４は、杖２の持ち手部分である上端部２ａを被覆するシート部材であり、例えば、合成樹脂等の可撓性の部材によって成型されている。そして、本実施形態において、カバー部４の表面には、図４に示すように、複数の突起物４２が配設された滑止部４０が形成されており、これら複数の突起物４２により、ユーザーが持ち手部分である上端部２ａを掴む際、グリップ力が高まるようになっている。
【００２５】
また、滑止部４０の両端には、カバー部４で上端部２ａを被覆した状態を保持するように、滑止部４０を上端部２ａに緊結する緊結材５１が嵌め込まれる溝部４１が設けられている。本実施形態において、緊結材５１は、布製の紐や、可撓性の輪ゴム等であり、この緊結材５１を溝部４１に嵌め込み、上端部２ａの外周を巻き付けることでカバー部４を上端部２ａに緊結している。なお、本実施形態において、緊結材５１は、溝部４１に嵌め込んで巻き付けたが、これに限定するものではなく、図１に示すように、緊結材５２を突起物４２の間に配置して、緊結材５２を直交するように巻き付けて、カバー部４を緊結してもよい。
【００２６】
さらに、カバー部４には、図４に示すように、溝部４１が設けられていない側の両端部には、シート状のカバー部４を貫通する貫通孔４３，４３を設けられている。本実施形態において、この貫通孔４３，４３は、連結部材である紐６１を連通させるための孔であり、連結部材のサイズに合せた種々の大きさで形成される。
【００２７】
そして、杖２の固定具１には、カバー部４と、基部１０とを着脱可能に連結する連結部６を備えており、本実施形態において、連結部６には、ベルト６２と、紐６１とから構成されている。
【００２８】
本実施形態において、紐６１は、布、革または弾性ゴム等の緊結部材であり、図１に示すように、基部１０に備えられた貫通孔１３と、カバー部４に設けられた一方の貫通孔４３とに対して、紐６１を通過させ、紐６１の両端を結び付けることで、カバー部４と、基部１０とを着脱可能に連結させている。
【００２９】
一方、ベルト６２は、合成樹脂等の可撓性を有するベルト部材からなる連結部材であり、図２に示すように、基部１０の上端部に一体形成されたベルト部材６３と、カバー部４に一体形成されたベルト部材６４とを、例えば、鉄やアルミニウム等の金属製の留め具６５により係止させることで、カバー部４と、基部１０とを着脱可能に連結させている。
【００３０】
なお、本実施形態において、杖２の固定具１は、ベルト６２と紐６１との２つの連結部６により、カバー部４と基部１０とを連結させたが、本発明はこれに限定するもではなく、カバー部４と基部１０とが固定されればよく、いずれか一方によって、カバー部４と基部１０とを連結させた構成としてもよい。さらに、本実施形態において、ベルト部材６３，６４は、カバー部４と、基部１０とにそれぞれ一体形成されている構成としたが、本発明はこれに限定するものではなく、例えば、ベルト部材６３，６４が、それぞれカバー部４及び基部１０と着脱可能に取り付けられる構成としてもよい。
【００３１】
(作用・効果)
このような実施形態によれば、杖２の持ち手部分である上端部２ａを被覆するカバー部４と、杖２の中途部分に固定される基部１０とをベルト６２及び紐６１によって連結するので、カバー部４の位置が固定され、使用時においてもカバー部がズレることなく、常時、ユーザーが杖２を掴み易くすることができる。
【００３２】
また、本実施形態によれば、カバー部４の表面には、突起物４２を有する滑止部４０が形成されいるので、ユーザーが杖の持ち手部分を掴んだ際、その突起物によりグリップ力を高めることができる。
【００３３】
さらに、滑止部４０の両端には、カバー部４で上端部２ａを被覆した状態を保持するように、滑止部４０を上端部２ａに緊結する緊結材５１が嵌め込まれる溝部４１が設けられており、この溝部４１に緊結材５１を嵌め込ませ、上端部２ａを緊結するので、緊結材５１がカバー部４よりズレることが防止でき、よりカバー部４を上端部２ａに固定することができる。
【００３４】
また、本実施形態によれば、基部１０は、側方に向けて突出し、杖の起立状態を保持する杖保持部３を備えるので、杖保持部３を机９等に設置することで、杖２の起立状態を維持することができ、不使用時に杖２が床に倒れてしまうことを防止することができる。
【００３５】
さらに、本実施形態によれば、基部１０には、杖２の中心から所定距離だけ離隔した位置において、下方に向けて突出したフック状の下部突出部３２とを有するので、例えば、吊革や手摺８等に対して、フック状の下部突出部３２を引っ掛けることで、杖２の起立状態を維持することができ、不使用時に杖が床に倒れてしまうことを防止することができる。
【００３６】
また、本実施形態によれば、基部１０には、杖２の中心から所定距離だけ離隔した位置において、上方に向けて突出した一対の上部突出部３１，３１を有するので、買物袋等を引っ掛けることができるとともに、カバー部４と基部１０とが連結されることで、買物袋等の荷重によっても基部１０がズレ落ちることを防止することができる。
【符号の説明】
【００３７】
１…固定具
２…杖
２ａ…上端部
３…杖保持部
４…カバー部
６…連結部
８…手摺
９…机
１０…基部
１１…拡開部
１３…貫通孔
１４…ベルトフック
１５…挟持部
３１，３１…上部突出部
３２…下部突出部
３３…凸部
３４…下面
４０…滑止部
４１…溝部
４２…突起物
４３，４３…貫通孔
５１，５２…緊結材
６１…紐
６２…ベルト
６３，６４…ベルト部材
６５…留め具
【図１】
0005390467.tif 000002
【図２】
0005390467.tif 000003
【図３】
0005390467.tif 000004
【図４】
0005390467.tif 000005